(57)【要約】【課題】多数のフラップテーブルの天板をリモートコントロールシステムにより同時に起立できるようにして、フラップテーブルの収納操作を容易にする。【解決手段】天板８を水平姿勢と起立姿勢とに変位するように起倒可能に備えたフラップテーブル１において、天板８を起立方向へ付勢する付勢手段４０と、天板８を水平姿勢でロックするロック機構と、このロック機構のロック状態を解除するロック解除機構２１を備え、リモートコントロールシステムにより前記ロック解除駆動機構２１を解除作動させるようにする。【選択図】図３
2006014973.tif 000002
【特許請求の範囲】
【請求項１】
天板を水平姿勢と起立姿勢とに変位するように起倒可能に備えたフラップテーブルにおいて、リモートコントロールシステムの操作により天板を、水平姿勢から起立させるようにしたことを特徴とするフラップテーブル。
【請求項２】
天板を水平姿勢と起立姿勢とに変位するように起倒可能に備えたフラップテーブルにおいて、天板を起立方向へ付勢する付勢手段と、天板を水平姿勢でロックするロック機構と、このロック機構のロック状態を解除するロック解除駆動機構を備え、リモートコントロールシステムの操作により前記ロック解除駆動機構を解除作動させるようにしたことを特徴とするフラップテーブル。
【請求項３】
天板を水平姿勢と起立姿勢とに変位するように起倒可能に備えたフラップテーブルにおいて、支脚側に支持金具を固設するとともに該支持金具に第１ロック溝と第２ロック溝を形成し、天板側に連動軸を回転可能に設けて該連動軸にロック金具を固設し、該ロック金具を前記連動軸を中心として該連動軸とともに回動するようにし、該ロック金具を天板の水平姿勢時において前記第１ロック溝に嵌合したり離脱できるようにし、また該ロック金具を天板の起立姿勢時において前記第２ロック溝に嵌合したり離脱できるようにし、前記連動軸には手動用解除レバーを設け、更に、天板側には、前記ロック金具の離脱方向に連動軸を回動するロック解除駆動機構を設け、リモートコントロールシステムによりロック解除駆動機構を解除作動させるようにしたことを特徴とするフラップテーブル。
【発明の詳細な説明】
【技術分野】
【０００１】
本発明はフラップテーブルに関する。
【背景技術】
【０００２】
従来、テーブルにおいて、その天板を支脚の上部に起倒可能に備えて、使用時には天板を水平姿勢にし、不使用時には天板を起立させて、テーブルの収納スペースを少なくするようにしたフラップテーブルが知られている。
【０００３】
このようなフラップテーブルにおいて、その天板の水平姿勢と起立姿勢との変換（変位）操作は、従来、手動操作で行うようになっている。
【発明の開示】
【発明が解決しようとする課題】
【０００４】
前記従来のフラップテーブルにおいては、多数のフラップテーブルを並べて使用した後の不使用時において、これらを、その天板を起立させて部屋の隅部などに収納する際には、全てのフラップテーブルの天板を、それぞれ手操作で起立させなければならず、収納作業が極めて面倒であった。
【０００５】
そこで本発明は、天板を水平状態にした使用状態の多数のフラップテーブルを、使用後の収納の際に、この多数のフラップテーブルの天板を遠隔操作により自動的に起立できるようにし、この天板の起立後においては、各フラップテーブルを手動で移動して他のフラップテーブルに連続的に押し当てて多数のフラップテーブルを容易に収納することができるフラップテーブルを提供することを目的とするものである。
【課題を解決するための手段】
【０００６】
前記課題を解決するために、請求項１記載の発明は、天板を水平姿勢と起立姿勢とに変位するように起倒可能に備えたフラップテーブルにおいて、リモートコントロールシステムの操作により天板を、水平姿勢から起立させるようにしたものである。
【０００７】
請求項２記載の発明は、天板を水平姿勢と起立姿勢とに変位するように起倒可能に備えたフラップテーブルにおいて、天板を起立方向へ付勢する付勢手段と、天板を水平姿勢でロックするロック機構と、このロック機構のロック状態を解除するロック解除駆動機構を備え、リモートコントロールシステムの操作により前記ロック解除駆動機構を解除作動させるようにしたものである。
【０００８】
請求項３記載の発明は、天板を水平姿勢と起立姿勢とに変位するように起倒可能に備えたフラップテーブルにおいて、支脚側に支持金具を固設するとともに該支持金具に第１ロック溝と第２ロック溝を形成し、天板側に連動軸を回転可能に設けて該連動軸にロック金具を固設し、該ロック金具を前記連動軸を中心として該連動軸とともに回動するようにし、該ロック金具を天板の水平姿勢時において前記第１ロック溝に嵌合したり離脱できるようにし、また該ロック金具を天板の起立姿勢時において前記第２ロック溝に嵌合したり離脱できるようにし、前記連動軸には手動用解除レバーを設け、更に、天板側には、前記ロック金具の離脱方向に連動軸を回動するロック解除駆動機構を設け、リモートコントロールシステムによりロック解除駆動機構を解除作動させるようにしたものである。
【発明の効果】
【０００９】
本発明においては、水平姿勢の天板をリモートコントロールシステムの操作部により遠隔操作で起立させることができる。したがって、天板の使用状態で整列された多数のフラットテーブルを、その多数の天板を起立させて収納する際に、これら多数のフラットテーブルの天板を、一個の操作部によって同時に自動的に起立させることができる。
【００１０】
そのため、従来のように、収納時に多数のフラップテーブルの天板を個個に手操作で起立させて収納する作業に比べて収納作業が極めて容易に行うことができる。
【００１１】
更に、請求項３記載の発明によれば、前記のような操作部による起立操作とは別に、手動用解除レバーによって個個のフラップテーブルのロック解除操作も行うことができる。
【発明を実施するための最良の形態】
【００１２】
本発明を実施するための最良の形態を図に示す実施例に基づいて説明する。
フラップテーブル１を構成する左右の前脚２，２（着席する側を前側とする）は、その上端において水平杆３により連結されている。また、左右の前脚２，２の下端にはキャスタ４が設けられている。  
【００１３】
左右の後脚５，５の上端は前記水平杆３に固着され、下端にはキャスタ６が設けられている。
【００１４】
前記水平杆３の左右部には支持金具７，７が起立状態で固設されている。
天板８の裏面の左右に天板受金具９，９が固設されており、該天板受金具９，９と前記支持金具７，７とが水平回転軸１０により回転可能に連結され、天板８が水平回転軸１０を中心として回転し、図１及び図２に示す水平姿勢と図３に示す起立姿勢とに起倒するようになっている。
【００１５】
次にロック機構１１について図４及び図５により説明する。
前記支持金具７の上部は前記天板受金具９内に挿入され、その上部に前方へ突出する係止部７ａが形成されている。該係止部７ａの下側には第１ロック溝１２が形成され、上側には第２ロック溝１３が形成されている。支持金具７は前記水平杆３に固設されていることから、前記第１ロック溝１２と第２ロック溝１３は不動状態におかれている。
【００１６】
前記左右の天板受金具９，９間には連動軸１４が水平状態に架設され、かつ、該連動軸１４の左右部は両天板受金具９，９に回転可能に貫通している。
【００１７】
前記左右の天板受金具９，９内にはロック金具１５が配置されているとともに該ロック金具１５は前記連動軸１４に固着され、該ロック金具１５が連動軸１４を中心として該連動軸１４と一体に回動するようになっている。更に、該ロック金具１５は、天板８の水平姿勢において、図４に示すように、前記第１ロック溝１２に嵌合することにより天板８の起立方向への回動を阻止する第１ロック部１６と、天板８の起立姿勢において、図５に示すように、前記第２ロック溝１３に嵌合することにより天板８の水平方向への回動を阻止する第２ロック部１７が形成されている。
【００１８】
前記天板受金具９内には、連動軸１４の外周に位置して付勢手段であるコイルスプリング１８が配置されており、該コイルスプリング１８により、前記ロック金具１５が、図４及び図５において、連動軸１４を中心として、時計方向（Ｂ２方向）に回動するように付勢されている。
【００１９】
前記連動軸１４における一方の端部は一方の天板受金具９より外側方へ突出しており、該突出部１４ａに手動用解除レバー１９が固設されている。更に、連動軸１４には連動片２０が固着されている。したがって、手動用解除レバー１９を、前記コイルスプリング１８の付勢力に抗して天板８側である図４における反時計方向Ａ２へ手で回動することにより、ロック金具１５及び連動片２０を天板８側（図４において反時計方向Ａ２）へ回動するようになっている。
【００２０】
次に、ロック解除駆動機構について説明する。
天板８の裏面にはロック解除駆動機構２１が固設されている。該ロック解除駆動機構２１のケース２２内には、後述する操作部（リモコンの操作具）３０から送信された電波や赤外線などの信号を認識する受信回路を有する受信部と、前記受信回路からの信号でソレノイドを操作する駆動回路と、前記ソレノイドにより進退する解除ピン２３と電源を具備しており、フラップテーブル１とは別に用意されたリモートコントロールの操作部３０の一方のボタン３１を押して該操作部３０からオンの電波や赤外線などの信号を送信することにより、この信号を前記受信回路で受信して、ソレノイドにより前記解除ピン２３をケース外へ突出させ、また操作部３０の他方のボタン３２を押して該操作部３０からオフの電波や赤外線などの信号を送信することにより、この信号を前記受信回路で受信してソレノイドにより前記解除ピン２３をケース内方向へ後退されるようになっている。前記操作部３０及び前記ロック解除駆動機構２１の受信部等で無線式のリモートコントロールシステムが構成されている。
【００２１】
このようなリモートコントロール（以下リモコンともいう）システムにより前記解除ピン２３を進退させる機構としては、例えば、美和ロック株式会社製の市販されているドアロックシステムに使用されているものと同様の機構を用いることができる。
【００２２】
前記解除ピン２３の先端は前記連動片２０に係合しており、解除ピン２３の後退時には連動片２０が図６（ａ）に示す状態にあり、その連動片２０が固着された連動軸１４に設けられたロック金具１５が図４及び図５に示すように付勢され、解除ピン２３が図６（ｂ）に示すようにケース外へ突出することにより、連動片２０が図６（ｂ）の矢印Ａ２に示すように押されて連動軸１４が反時計方向に回転し、この連動軸１４に固着されたロック金具１５が図４及び図５において反時計方向（Ａ２方向）に回動するようになっている。
【００２３】
図１において、３０はリモートコントロールの操作部を示し、該操作部３０は、前記フラップテーブル１とは別体に用意されている。この操作部３０は、前記のように２つのボタン３１，３２を有し、前記のようにオン、オフの信号を送信するようになっている。
【００２４】
前記前脚２，２の水平杆３と天板８の前側裏面との間には、天板８を起立方向へ付勢する付勢手段が設けられており、図の実施例ではガススプリング４０を使用している。すなわち、ガススプリング４０のシリンダ４１の先端を天板８に回転可能に連結し、ロッド４２の先端を水平杆３に回転可能に連結し、そのガス圧によりシリンダ４１とロッド４２を常時相反方向へ付勢している。
【００２５】
次に天板８の起倒操作について説明する。
図１及び図２に示す天板８の使用状態である水平姿勢においては、図４に示すように、コイルスプリング１８の付勢力により、ロック金具１５の第１ロック部１６が支持金具７の第１ロック溝１２に嵌合係止し、天板８が水平回転軸１０を中心として回動することを阻止し、天板８の水平姿勢がロックされる。また、この状態ではロック解除駆動機構２１における解除ピン２３は、図６（ａ）に示すように後退している。
【００２６】
この天板８の水平姿勢から天板８を図３及び図５に示すように起立させる際には、フラップテーブル１とは別体に用意された操作部３０を作業者が手に持って、フラップテーブル１とは離れた位置でその操作部３０のボタン３１を押す。これにより、操作部３０からオン信号が発信され、そのリモコン信号がロック解除駆動機構２１に内蔵された受信器で受信され、ソレノイドが励磁されて解除ピン２３が図６（ｂ）に示すように突出する。
【００２７】
この解除ピン２３の突出により、連動片２０が図６（ｂ）に示すようにＡ２方向へ押し移動され、該連動片２０に固設された連動軸１４をＡ２方向に回転する。該連動軸１４がＡ２方向に回転すると、これに固着されたロック金具１５が図４においてＡ２方向に回動し、該ロック金具１５における第１ロック部１６が支持金具７の第１ロック溝１２から離脱する。
【００２８】
第１ロック部１６が第１ロック溝１２から離脱すると、付勢手段であるガススプリング４０の伸長方向への付勢力により天板８が水平回転軸１０を中心として自動的に起立方向（図４のＡ１方向）へ回動する。
【００２９】
この天板８の回動によりロック金具１５も離脱状態で図４の状態からＡ１方向へ移動し、天板８が所定の角度まで起立する。その後、操作部３０の他方のボタン３２を押し、そのオフ信号により前記ソレノイドを作動して前記解除ピン２３を後退させる。この解除ピン２３の後退により、ロック金具１５がコイルスプリング１８により図４のＢ２方向に付勢されていることから、ロック金具１５の第２ロック部１７が支持金具７の第２ロック溝１３に図５に示すように嵌合係止する。これにより、天板８の起立状態がロックされる。
【００３０】
前記のような天板８の自動的な起立操作は、１個のフラップテーブルの天板８を起立させる場合のみならず、例えば、会議室において多数のフラップテーブルを整列的に配置した状態において、それら多数のフラップテーブルの天板８を起立させる場合にも行える。
【００３１】
すなわち、使用する多数（複数）のフラップテーブルの全てに前記の機構を備え、これらの全てのロック解除駆動機構３１の受信器が１個の操作部３０からのリモコン信号を同時に受信するようにし、多数のフラップテーブルの全ての天板８が同時に起立するようにしてもよい。
【００３２】
このように、整列配置された多数のフラップテーブルの天板を同時に遠隔操作で起立させることにより、これらのフラップテーブルを部屋の隅等に収納する際に、作業者が起立した１個のフラップテーブルを、前側又は後側に配置されて起立した他のフラップテーブル側へ移動して押し付け、更に、前側又は後側に配置されて起立した他のフラップテーブル側へ移動して押し付け、これを繰り返すことにより、多数のフラップテーブルを、それらの天板８を重ね状態で収納することができる。
【００３３】
したがって、従来のように、多数のフラップテーブルの天板を、１個づつ手操作で起立させて収納する作業に比べて収納作業が極めて容易に行える。
【００３４】
次に、前記のように起立させた天板８を使用姿勢の水平状態にする場合について説明する。
【００３５】
図３及び図５の天板起立状態であって、かつ、解除ピン２３が後退している状態において、先ず、手動用解除レバー１９を、手動により天板８側へ、すなわち図５において矢印Ａ２側へ回動操作する。これにより、手動解除レバー１９に固着された連動軸１４が図５の矢印Ａ２方向に回転し、これに固着されたロック金具１５も矢印Ａ２方向に回動し、該ロック金具１５の第２ロック部１７が支持金具７の第２ロック溝１３から離脱する。
【００３６】
この離脱状態を手動解除レバー１９で保持しつつ作業者が手で天板８を、ガススプリング４０の付勢力に抗して倒伏方向に回動させ、この天板８の倒伏回動後に手動解除レバー１９から手を離す。これにより、ロック金具１５がコイルスプリング１８の付勢力により図４の矢印Ｂ２方向に付勢され、天板８が水平姿勢になったとき、ロック金具１５の第１ロック部１６が第１ロック溝１２に嵌合係止し、天板８の水平姿勢がロックされる。
【００３７】
なお、前記のリモートコントロールシステムとしては周知の無線式のものを使用することができ、更に、前記操作部３０に１個のボタンを設け、該ボタンを押すことによりリモコン信号を送信し、この信号をロック解除駆動機構２１側の受信回路で受信し、この受信により駆動回路によってソレノイドを作動させて解除ピン２３を突出させ、ロックを解除し、その後はソレノイドが非励磁状態になり、復帰バネにより解除ピン２３を後退移動させるように構成してもよい。
【００３８】
更に、操作部の操作によりモータを正逆回転させて、この回転により前記のような解除ピンを突出又は後退させて、ロック機構の解除を行うようにしてもよい。
【００３９】
更に、前記実施例以外に天板側に前記のロック機構のロックを解除するアクチュエータを備え、操作部の操作によりアクチュエータを作動してロック機構のロックを解除するようにしてもよい。
【００４０】
更に、前記ロック機構１１は天板８の起倒状態をロックできる機構であればよく、前記の実施例に限定するものではない。
【００４１】
更に、図に示す実施例では、一人用のフラップテーブルに本発明を適用したが、複数人が使用する長い会議用のテーブルなどのフラップテーブルに適用してもよい。
【００４２】
なお、本発明のフラップテーブルとは、天板が起倒するテーブルやデスクを含むものである。
【図面の簡単な説明】
【００４３】
【図１】本発明の実施例を示すフラップテーブルの前面図。
【図２】図１の右側面図
【図３】本発明のフラップテーブルにおいて、天板を起立させた状態を示す斜視図。
【図４】本発明におけるロック機構部を示すもので、天板の水平姿勢時のロック状態を示す。図。
【図５】図４の状態から天板を起立させた状態でのロック状態を示す図。
【図６】本発明におけるロック解除駆動機構部を示すもので（ａ）は解除ピンが後退した図、（ｂ）は解除ピンが突出した図。
【符号の説明】
【００４４】
１      フラップテーブル
２，５  支脚
３      水平杆
７      支持金具
８      天板
１０    水平回転軸
１１    ロック機構
１２    第１ロック溝
１３    第２ロック溝
１４    連動軸
１５    ロック金具
１６    第１ロック部
１７    第２ロック部
１８    コイルスプリング
１９    手動用解除レバー
２０    連動片
２１    ロック解除駆動機構
２３    解除ピン
３０    操作部
４０    ガススプリング（付勢手段）
【図１】
2006014973.tif 000003
【図２】
2006014973.tif 000004
【図３】
2006014973.tif 000005
【図４】
2006014973.tif 000006
【図５】
2006014973.tif 000007
【図６】
2006014973.tif 000008